(57)【要約】【課題】違和感なく自然に、残された縁者の身近に置くことが可能な、人物やペット等の塑像を、遺骨や遺品等の収納機能を持たせて提供することにより、故人の縁者の欲求を満たすとともに、故人の尊厳を厳守し、かつ遺骨や遺品等の収納の問題を解決するため、人物やペット等を偲ぶことができるとともに、遺骨や遺品等を収納できるようにした人物やペット等の塑像を提供しようとするものである。【解決手段】遺骨や遺品等の記念品収納部を設けた台座部分と、この台座部分の上に搭載した人物やペット等の塑像部分とを有することを特徴とする人物やペット等の塑像。【選択図】          図６
2006068214.tif 000002
【特許請求の範囲】
【請求項１】
台座部分と、この台座部分の上に搭載した人物やペット等の塑像部分とを有することを特徴とする人物やペット等の塑像。
【請求項２】
人物やペット等の塑像部分が、貴金属製であることを特徴とする請求項１に記載の人物やペット等の塑像。
【請求項３】
貴金属製の人物やペット等の塑像部分が、予め彫刻等により、あるいはコンピュータ上の三次元ソフトを用いて作成した原型を用いて鋳造されたものであることを特徴とする請求項１または２に記載の人物やペット等の塑像。
【請求項４】
貴金属製の人物やペット等の塑像部分が、予め作成された原型を用いてロストワックス鋳造法で鋳造されたものであることを特徴とする請求項１または２に記載の人物やペット等の塑像。
【請求項５】
台座部分が、遺骨や遺品等の記念品収納部を設けたものであることを特徴とする請求項１ないし４のいずれかに記載の人物やペット等の塑像。
【請求項６】
台座部分が、上面を開口した遺骨や遺品等の記念品収納部を設けたものであり、塑像部分を搭載することにより上記開口部を閉じることができるようにしたことを特徴とする請求項５に記載の人物やペット等の塑像。
【発明の詳細な説明】
【技術分野】
【０００１】
この発明は、たとえば故人や亡くなったペット等を偲ぶことができるとともに、遺骨や遺品等の記念品を収納できるようにした人物やペット等の塑像に関する。
【背景技術】
【０００２】
一般に、親しい人やペット等が亡くなった場合、写真等を飾って故人や亡くなったペット等を偲ぶことができるようにしている。しかしながら、墓や位牌、上記写真等のみでは故人や亡くなったペット等との隔たりが大きく、法事やあるいは法事のみならず日常において、個人や亡くなったペット等を身近に感じていたいという自然な欲求がある。
そこで、例外的に故人の胸像や頭部のみを塑像にして飾ることも行なわれている。
【０００３】
一方、遺骨や遺品等の記念品は、遺族など故人や亡くなったペット等と縁の深かった者などに分配しているが、遺族においても時間の経過とともに散逸しやすく、身近にわかりやすく収納しておきたいという要請が強い。
特に、日常において、故人や亡くなったペット等と同じ空気に触れているという意識が得られれば、残された者にとって、大きな慰めになる。
【０００４】
以上のことからこの発明者は、違和感なく自然に、残された縁者の身近に置くことが可能な、故人や亡くなったペット等の塑像を、遺骨や遺品等の記念品の収納機能を持たせて提供することにより、故人の縁者の欲求を満たすとともに、故人の尊厳を厳守し、かつ遺骨や遺品等の収納の問題を解決することを提案するものである。
【０００５】
確かに、「故人や亡くなったペット等を偲ぶことができるとともに、遺骨や遺品等の記念品を収納できるようにした故人や亡くなったペット等の塑像」を「故人の胸像」、「遺品等を収納できる位牌類」という風にそれぞれ分解すれば、個々のアイデアは存在する。しかしながら、「故人や亡くなったペット等を偲ぶことができるとともに、遺骨や遺品等の記念品を収納できるようにした人物やペット等の塑像」というアイデアは今まで提案されたことはない。
【特許文献１】特になし
【発明の開示】
【発明が解決しようとする課題】
【０００６】
そこで、この発明は違和感なく自然に、残された縁者の身近に置くことが可能な、故人や亡くなったペット等の塑像を、遺骨や遺品等の記念品の収納機能を持たせて提供することにより、故人や亡くなったペット等の縁者の欲求を満たすとともに、故人や亡くなったペット等の尊厳を厳守し、かつ遺骨や遺品等の記念品の収納の問題を解決することができるため、故人や亡くなったペット等を偲ぶことができるとともに、遺骨や遺品等の記念品を収納できるようにした人物やペット等の塑像を提供しようとするものである。
【課題を解決するための手段】
【０００７】
すなわちこの発明の人物やペット等の塑像は、台座部分と、この台座の上に搭載した人物やペット等の塑像部分とを有することを特徴とするものである。
【０００８】
この発明の人物やペット等の塑像は、上記人物やペット等の塑像部分が、貴金属製であることをも特徴とするものである。
【０００９】
この発明の人物やペット等の塑像は、上記貴金属製の人物やペット等の塑像部分が、予め彫刻等により、あるいはコンピュータ上の三次元ソフトを用いて作成した原型を用いて鋳造されたものであることをも特徴とするものである。
【００１０】
この発明の人物やペット等の塑像は、上記貴金属製の人物やペット等の塑像部分が、予め作成された原型を用いてロストワックス鋳造法で鋳造されたものであることをも特徴とするものである。
【００１１】
この発明の人物やペット等の塑像は、上記台座部分が、遺骨や遺品等の記念品収納部を設けたものであることをも特徴とするものである。
【００１２】
この発明の人物やペット等の塑像は、上記台座部分が、上面を開口した遺骨や遺品等の記念品収納部を設けたものであり、塑像部分を搭載することにより上記開口部を閉じることができるようにしたことをも特徴とするものである。
【発明の効果】
【００１３】
上記の構成を採用したこの発明の人物やペット等の塑像によれば、故人や亡くなったペット等を偲ぶ記念品また仏壇用の置物として、故人や亡くなったペット等のみならず、生存する人物やペット等の記念日用の贈り物として利用することができ、法事のみならず日常において、故人や亡くなったペット等のみならず、生存する人物やペット等を身近に感じていたいという自然な欲求に応えることができる。
【００１４】
また、遺骨や遺髪、へその緒、爪、その他の遺物、あるいは貴金属その他の遺品等をまとめて収納しておくことができるので、遺族においても時間の経過とともに散逸することを心配しないで済み、身近にわかりやすい場所に収納しておくことができて非常に便利である。
【発明を実施するための最良の形態】
【００１５】
以下、図面に基いてこの発明の人物やペット等の塑像の実施の形態について詳細に説明する。
図１はこの発明の人物やペット等の塑像の１実施例を示す正面図、図２は塑像（胸像）部分の正面図、図３は台座部分の斜視図、図４は台座部分の平面図、図５は台座部分を背後から見た斜視図、図６はこの発明の人物やペット等の塑像の分解状態を示す要部断面図、図７はこの発明の人物やペット等の塑像の他の実施例を示し、分解状態を示す要部断面図、図８はこの発明の人物やペット等の塑像の他の実施例を示し、位牌に適用した状態を示す正面図、図９はその側面図、図１０はこの発明の人物やペット等の塑像をペットに適用した例を示す斜視図である。
【００１６】
図１ないし図６において、この発明の人物やペット等の塑像は、遺骨や遺品等の記念品収納部１５を設けた台座部分１３と、この台座部分１３の上に搭載した人物やペット等の塑像部分１１とを有するものである。
【００１７】
人物やペット等の塑像において、上記人物やペット等の塑像部分１１は、貴金属製であることが望ましい。例えば１４金や１８金、銀、プラチナ、ホワイトゴールド等が好適に使用できる。
【００１８】
上記貴金属製の人物やペット等の塑像部分１１は、予め１枚若しくは複数枚の写真等を見ながら彫刻すること等により、あるいはコンピュータ上の三次元ソフト（ＣＡＤ／ＣＡＭ）を用いて光造形法等により作成した原型を用いて鋳造したものとすることができる。
【００１９】
上記貴金属製の人物やペット等の塑像部分１１は、予め作成された上記原型を用いてロストワックス鋳造法で鋳造したものとすることができる。すなわち、原型の制作→ゴム型の制作→ワックス型の制作→ツリーの制作→石こうの充填・硬化→脱ロウ・焼成、の各工程を経て作製することができる。
なお、上記コンピュータ上の三次元ソフト（ＣＡＤ／ＣＡＭ）を用いて光造形法等により作成した原型はワックス型とすることができ、ゴム型の製作工程等を省略することができる。
【００２０】
この発明の人物やペット等の塑像において、上記台座部分１３には、上面を開口した遺骨や遺品等の記念品収納部１５が設けてあり、上部開口部１７から遺骨や遺髪、へその緒、爪、その他の遺物、あるいは貴金属その他の遺品等をまとめて投入し、収納しておくことができる。
台座部分１３の素材としては、木製、御影石等の化粧石製、アメジストやミトリン、トルマリン等の貴石類、金属の鋳造品等を用いることができる。記念品収納部１５に形成に際しては、直接切削装置を用いて切削したり、底板に筒状の側壁部分を貼り合せたり、分割したパーツを組み合わせることによって形成することができる。もちろん、鋳造品は所定の鋳造型を用いて所定形状の記念品収納部１５を直接鋳造することができる。
【００２１】
上記記念品収納部１５の上端には塑像部分１１の受け部１９を設けて塑像部分１１を所定位置に搭載することができるようになっている。この塑像部分１１を受け部１９にはめ込んで搭載することにより、上記開口部１７を閉じることができる。
なお、台座部分１３と塑像部分１１とは単に塑像部分１１を搭載するだけでもよいが、ビス等を用いて取り付け、取り外しを可能としたり、額縁の止め具のようなものを用いて着脱を容易に行なえるようにすることができる。
【００２２】
図において２１は、俗名や行年等を記載した正面の金属プレート、２３は戒名や命日等を刻印等により記載した背面の金属プレートで、台座部分１３にビスや接着剤等で取り付けられている。
【００２３】
図７は、この発明の人物やペット等の塑像の他の実施例を示すもので、遺骨や遺品等の記念品収納部１５が設けられていないことを除いては、上記実施例とほとんど軌を一にしている。
【００２４】
図８および図９はこの発明の人物やペット等の塑像の他の実施例を示し、位牌に適用した状態を示すもので、背板を備えた塑像部分３１は台座部分（位牌本体）３３の上に搭載されている。３５は倒伏防止用の台脚である。
また図において３７は、戒名や命日等を刻印等により記載した正面の金属プレート、３９は俗名や行年等を記載した背面の金属プレートである。
この位牌に適用した塑像は、１３回忌もしくは１７回忌まで故人の像の霊魂を抜くようにお経を上げてもらい、その後はアクセサリー等の形見として使用することができる。
【００２５】
上記の各実施形態において、塑像の例として故人の胸像を示したが、ペットの全体像などを当該塑像とするものであっても実施可能である。
図１０に塑像部分をペットの全身像とした例を示す。すなわちペットの全身像からなる塑像部分４１を所定の厚さの台座部分４３の上に設置したものである。この台座部分４３の側面には引き出し類からなる記念品収納部４５が設けられており、遺骨や遺髪、爪、その他の遺物、あるいは写真その他の遺品等をまとめて収納しておくことができる。
【産業上の利用可能性】
【００２６】
この発明は上記故人や亡くなったペット等の塑像のみならず、生存する赤ちゃんや乳児・幼児その他の誕生記念として、あるいは恩人を忘れないための記念品等として使用する塑像にも利用することができる。
また、ペット類の塑像においては、これを貴金属で作製するとともに、その適所に丸環等を形成することにより、これにチェーン類その他を取り付けて、アクセサリーとしても利用することができる。
【図面の簡単な説明】
【００２７】
【図１】この発明の人物やペット等の塑像の１実施例を示す正面図である。
【図２】塑像（胸像）部分の正面図である。
【図３】台座部分の斜視図である。
【図４】台座部分の平面図である。
【図５】台座部分を背後から見た斜視図である。
【図６】この発明の人物やペット等の塑像の分解状態を示す要部断面図である。
【図７】この発明の人物やペット等の塑像の他の実施例を示し、分解状態を示す要部断面図である。
【図８】この発明の人物やペット等の塑像の他の実施例を示し、位牌に適用した状態を示す正面図である。
【図９】その側面図である。
【図１０】この発明の人物やペット等の塑像をペットに適用した例を示す斜視図である。
【符号の説明】
【００２８】
１１  塑像部分
１３  台座部分
１５  記念品収納部
１７  開口部
１９  受け部
２１，２３  金属プレート
３１  塑像部分
３３  台座部分
３５  倒伏防止用の台脚
３７，３９  金属プレート
４１  塑像部分
４３  台座部分
４５  記念品収納部
【図１】
2006068214.tif 000003
【図２】
2006068214.tif 000004
【図３】
2006068214.tif 000005
【図４】
2006068214.tif 000006
【図５】
2006068214.tif 000007
【図６】
2006068214.tif 000008
【図７】
2006068214.tif 000009
【図８】
2006068214.tif 000010
【図９】
2006068214.tif 000011
【図１０】
2006068214.tif 000012